(57)【要約】通信システムは、無線ネットワークコントローラのような中央基地ノードを必要としないように複数の基地ノードがコントローラ機能を含むような脱中央化されたフラットアーキテクチャを含む。基地ノードの少なくとも１つはアンカーノードとして動作する。アンカーノードはタイムスタンプを少なくとも１つのパケットに関連付け、それを複数の基地ノードに提供する。一例では、パケット及び関連付けられたタイムスタンプを複数の基地ノードに分散するためのルータ装置によってマルチキャストアプローチが用いられる。各基地ノードは関連付けられたタイムスタンプに応じて少なくとも１つのパケットの送信のタイミングをワイヤレスインターフェイスを介して制御する。
2010500848.tif 000002
【特許請求の範囲】
【請求項１】
通信の方法であって、
基地ノードからの少なくとも１つのパケットの送信のタイミングを、該基地ノード又は他の基地ノードの１つによって該少なくとも１つのパケットに関連付けられたタイムスタンプに応じて制御するステップ
からなる方法。
【請求項２】
請求項１の方法であって、
複数の基地ノードによる該少なくとも１つのパケットの同時送信を実現するように該タイミングを制御するステップ
からなる方法。
【請求項３】
請求項１の方法であって、
該基地ノードで該少なくとも１つのパケットを受信するステップ、
該タイムスタンプを該少なくとも１つのパケットに関連付けるステップであって、該タイムスタンプが送信時間の表示を提供している、ステップ、及び
該関連付けられたタイムスタンプを持つ該少なくとも１つのパケットを少なくとも１つの他の基地ノードに転送するステップ
からなる方法。
【請求項４】
請求項３の方法において、該転送するステップが、
該関連付けられたタイムスタンプを持つ該少なくとも１つのパケットを該少なくとも１つの他の基地ノードに送信するステップ
からなる方法。
【請求項５】
請求項１の方法であって、
該関連付けられたタイムスタンプを持つ該少なくとも１つのパケットを該基地ノードで受信するステップ
からなる方法。
【請求項６】
請求項１の方法であって、
該少なくとも１つのパケットを該基地ノードに送信するステップ、
該関連付けられたタイムスタンプを持つ該少なくとも１つのパケットを該基地ノードから受信するステップ、及び
該関連付けられたタイムスタンプを持つ該少なくとも１つのパケットを、該タイムスタンプに応じて該タイミングを制御する少なくとも１つの他の基地ノードに送信するステップ
からなる方法。
【請求項７】
請求項６の方法であって、
該関連付けられたタイムスタンプを持つ該少なくとも１つのパケットの単一の送信をルータ装置で受信するステップ、及び
該関連付けられたタイムスタンプを持つ該少なくとも１つのパケットを複数の基地ノードにマルチキャストするステップ
からなる方法。
【請求項８】
請求項７の方法であって、
該タイムスタンプに応じて該送信のタイミングを制御する該複数の基地ノードを含む基地ノードのマルチキャストグループを確立するステップ
からなる方法。
【請求項９】
請求項１の方法であって、
該タイムスタンプを該少なくとも１つのパケットに関連付けるために第１の基地ノードをアンカーノードとして動作させるステップ、
該第１の基地ノードが該タイムスタンプを該少なくとも１つのパケットに関連付けることができなかった場合、該タイムスタンプを該少なくとも１つのパケットに関連付けるために第２の基地ノードをアンカーノードとして動作させるステップ
からなる方法。
【請求項１０】
請求項９の方法であって、
該第１の基地ノードが該タイムスタンプを該少なくとも１つのパケットに関連付けることができなかったことを、
該第２の基地ノードにおいて該少なくとも１つのパケットを受信すること、
該第２の基地ノードにおいて該少なくとも１つのパケットが該関連付けられたタイムスタンプでその後受信されたかを判断すること
によって判断するために該第２の基地ノードを用いるステップ
からなる方法。
【発明の詳細な説明】
【技術分野】
【０００１】
本発明は概略として通信に関する。より具体的には、本発明は複数の送信機を用いる連携された通信に関する。
【背景技術】
【０００２】
ワイヤレス通信システムは周知であり広範に使用されている。従来のモデルは、セルと言われる対応する地理的領域にわたってワイヤレスカバレッジを提供するために基地局を配備するものであった。各基地局は無線ネットワークコントローラのようなコントローラによって制御される。従来のシステムアーキテクチャにおいては、無線ネットワークコントローラが複数の基地局を連携する責任を負っていた。単一の制御ポイントを有することによって異なる基地局間の送信を連携することを比較的容易なものとしている。例えば、１より多い基地局からの同時の又は同期された送信が必要な場合、無線ネットワークコントローラは適切なリソースを各基地局に割り当て、送信の所望のタイミングを実現するための適切な制御をもたらすことができる。
【０００３】
より最近では他の構成が提案されてきている。フラットネットワークアーキテクチャは無線ネットワークコントローラの機能を各基地局（ｅＮＢ）に組み込む。このように、コントローラの機能を脱中央化することは、呼のセットアップ遅延の点でシステム性能を改善することを意図するものであり、及び従来アーキテクチャにおけるボトルネック及び潜在的な単一の故障点となりがちな複雑な中央化ノードを回避することを意図するものである。中央化された無線ネットワークコントローラがないとすると、データ同期やマルチキャスト／ブロードキャストサービス（ＭＢＭＳ）のためのスケジューリングのような機能が１つの課題となる。中央化された無線ネットワークコントローラがあれば、リソースブロック及びデータが制御され及び割り当てられて、異なるセルからのデータが同期して送信されることを確実にする。フラットネットワークアーキテクチャについては、このような解決策がなく、そのようなシステムにＭＢＭＳ通信を促進するための能力を与えることが必要となる。本発明はこのニーズに対処するものである。
【発明の概要】
【課題を解決するための手段】
【０００４】
通信方法の代表例は、基地ノードからの少なくとも１つのパケットの送信のタイミングを、その基地ノード又は他の基地ノードの１つによって少なくとも１つのパケットに関連付けられたタイムスタンプに応じて制御するステップを含む。
【０００５】
一例では、タイミングを制御するステップは複数の基地ノードによる少なくとも１つのパケットの同時送信を実現する。
【０００６】
一例では、基地ノードの１つはアンカーノードとして動作する。少なくとも１つのパケットはアンカーノードに提供される。タイムスタンプはアンカーノードによって少なくとも１つのパケットに関連付けられる。関連付けられたタイムスタンプに応じて、少なくとも１つのパケット及び関連付けられたタイムスタンプが、少なくとも１つのパケットを送信すべき複数の基地ノードに提供される。
【０００７】
本発明の種々の構成及び有利な効果は、以下の詳細な説明から当業者には明らかなものとなる。詳細な説明に付随する図面の簡単な説明は後述する。
【図面の簡単な説明】
【０００８】
【図１】図１は本発明の実施例で有用な通信システム例の選択部分を示す図である。
【図２】図２は図１に示す構成の他の使用を示す図である。
【図３】図３は本発明の実施例で有用なアプローチの一例をまとめたフローチャートである。
【発明を実施するための形態】
【０００９】
開示される実施例によって、中央化された基地局コントローラを含まずに各基地ノードでコントローラの機能を持ついわゆるフラットアーキテクチャ構成において、複数の基地局からの連携された送信の実現が可能となる。開示の例では、少なくとも１つの基地ノードがアンカーノードとして動作してタイムスタンプを少なくとも１つのパケットに関連付ける。複数の基地ノードは、各基地ノードからの少なくとも１つのパケットの送信のタイミングを制御するために、関連付けられたタイムスタンプをそれぞれ使用する。開示される例は、効率の向上のために、関連付けられたタイムスタンプを持つ少なくとも１つのパケットを複数の基地ノードにマルチキャストするステップを含む。
【００１０】
図１は例示の通信システム２０の選択部分を示す図である。マルチキャスト／ブロードキャストサービス（ＭＢＭＳ）データサーバ２２は、移動局のような少なくとも１つの加入者装置に対するＭＢＭＳの一部となるべき少なくとも１つのパケット（例えば、データパケット）を処理する。図示する例は、ＭＢＭＳデータサーバ２２と周知の態様で通信するルータ装置２４を含む。例示のルータ装置２４は複数の基地ノード２６、２８、３０、３２、３４及び３６と通信するエッジルータからなる。一例では、基地ノード２６−３６とルータ装置２４の間の通信はインターネットプロトコル（ＩＰ）ネットワーク上で行われる。
【００１１】
図３は、例えば、ＭＢＭＳを実現するための基地ノード２６−３６からの送信を連携させるためのアプローチの一例をまとめたフローチャート４０である。４２に示すように、エッジルータ２４は、データサーバ２２から少なくとも１つのパケットを受信すると、そのパケットをアンカーノードに送る。図１の例では、基地ノード２６はアンカーノードとして動作し、データサーバ２２からのパケットはルータ装置２４を通過する。他の例では、ルータ装置はデータサーバ２２とアンカーノード２６の間の通信に関与しない。４４において、アンカーノード２６は少なくとも１つのパケットを受信する。例示は、少なくとも１つのパケットを受信し、アンカーノード２６からパケットを送信するための送受信機部４５を含む。
【００１２】
図３において４６に示すように、アンカーノード２６は少なくとも１つのパケットにタイムスタンプを関連付ける。図１の例では、アンカーノード２６は、タイムスタンプを制御するとともにそれを少なくとも１つのパケットに関連付けるコントローラ部４７を含む。基地ノード各々からの少なくとも１つのパケットの送信のタイミングを連携するために、タイムスタンプが複数の基地局によってそれぞれ使用される。この関係で、アンカーノード２６のコントローラ部４７は基地ノード間でのデータ同期の戦略及び実行を規定する。アンカーノード２６、及び説明の例におけるコントローラ部４７は、どの時点で少なくとも１つのパケットが基地ノードの各々によって送信されなくてはならないかを判断する。ＭＢＭＳの場合、送信のタイミングは同時送信が行われるように同期される。説明の例はＭＢＭＳについて特に有用であるが、種々の基地ノードからの送信間の他の連携戦略を、例示された技術を用いて実現してもよい。
【００１３】
一例では、コントローラ部４７は、リアルタイムの表示又は無線サブフレーム番号をタイムスタンプとして含めることによって、タイムスタンプを少なくとも１つのパケットに関連付ける。一例では、タイムスタンプ情報がパケットのヘッダに含まれる。他の例では、タイムスタンプ情報はＴＣＰ又はＲＴＰのような上位層のプロトコルのフレーム番号に関係する。
【００１４】
４８において、少なくとも１つのパケット及び関連付けられたタイムスタンプが送受信機部４５によってルータ装置２４に送信される。５０において、ルータ装置２４は関連付けられたタイムスタンプを持つ少なくとも１つのパケットを複数の基地ノード２８−３６各々に転送する。６０において、本例ではアンカーノード２６も含む各基地ノードは、ワイヤレスインターフェイスを介した少なくとも１つのパケットの送信タイミングを、例えば関連付けられたタイムスタンプに応じて制御する。各基地ノードのコントローラ部４７はタイムスタンプ情報に基づいて適当な送信時間を決定する。
【００１５】
図１の例は、ＩＰトランスポートネットワークを用いることによってルータ装置２４と基地ノード２６−３６の間での通信に好都合にも効率的な構成を与える。図１の例では、関連付けられたタイムスタンプを持つ少なくとも１つのパケットを複数の基地ノードに転送することは、図示するようにマルチキャスト技術を用いることを含む。一例では、新たなサービス又はフローが開始されると、最初はアンカーノード２６のみがそのサービスに加わる。ルータ装置２４は少なくとも１つのマルチキャストグループに関する情報を含み、それは一例ではマルチキャストＩＰアドレスによって規定される。その一例のマルチキャストグループの一部となる基地ノードはいずれも、関連付けられたタイムスタンプを持つ少なくとも１つのパケットのマルチキャスト分散に含まれるべき周知のＩＧＭＰ参加メッセージを用いてそのグループに加わる。この構成例は、たった１つのコピーがアンカーノード２６に送られてルータ装置２４によってマルチキャスト形式で再分散されるだけでよいので、少なくとも１つのパケット及び関連付けられたタイムスタンプの効率的な分散に備えるものである。図１の例では、ルータ装置２４はマルチキャスト能力があるエッジルータである。
【００１６】
図２の例では、異なる分散技術が用いられる。この例では、アンカーノード２６は関連付けられたタイムスタンプを持つ少なくとも１つのパケットを４８における複数の時間に他の基地ノードに送信する。例示におけるこれらの送信はルータ装置２４を介して行われる。他の基地ノード各々に対する分散は、５０において各送信がルータ装置２４によって個別に転送されるようにすることによって行われる。この構成例は、ＩＰトランスポートネットワーク又はＩＰマルチキャスト機能が利用できない場合に使用される。この例はさらに、複数の基地ノードからの少なくとも１つのパケットの送信タイミングを連携するために、少なくとも１つの基地ノードが１つのアンカーノードとして動作するように備えている。
【００１７】
例示において、少なくとも１つの基地ノードをアンカーノードとして用いることによって、分散フラットネットワークにおける中央コントローラ又は送信を同期若しくは連携するためのノードの必要性が、中央化されたノード又はコントローラなしに充足される。
【００１８】
一例では、少なくとも１つの他の基地ノードがバックアップアンカーノードとして動作する。例えば、基地ノード３０は、４２において行われる少なくとも１つのパケットの最初の送信を、アンカーノード２６がルータ装置２４から少なくとも１つのパケットを受信するのと同時に受信する。基地ノード３０は、関連付けられたタイムスタンプを持つ同じパケットをその後受信するかどうかを判断するコントローラ部４７を含む。一例では、関連付けられたタイムスタンプを持つパケットが予想される予定期間が経過することが許容される。関連付けられたタイムスタンプを持つパケットが基地ノード３０によってその後受信されない場合は、アンカーノード２６は故障したものと判断され、基地ノード３０がアンカーノードであるかのように動作し、基地ノード３０のコントローラ部４７はタイムスタンプを少なくとも１つのパケットに関連付け、それを上述のように複数の基地ノードへの分散のためにルータ装置２４に送信する。
【００１９】
このような例では、少なくとも１つの基地ノードが、少なくとも１つのセッションについて通常はアンカーノードとして作用する他の１つの基地ノードのバックアップとして動作する。このような例は、特に１つの中央ノードが種々の基地局間の送信を連携するのに必要であった従来のシステムと比較して更なる柔軟性をもたらす。
【００２０】
前述の説明は限定的なものではなく例示的なものである。開示された例に対する、本発明の本質から必ずしもはなれない変更や修正は当業者には明らかなものとなる。本発明に与えられる法的保護の範囲は特許請求の範囲を検討することによって特定される。
【図１】
2010500848.tif 000003
【図２】
2010500848.tif 000004
【図３】
2010500848.tif 000005
【国際調査報告】
2010500848.tif 000006
2010500848.tif 000007